(57)【特許請求の範囲】
【請求項１】
売上処理に基づく各種データを示す通常文字サイズの主印字とその主印字を補助するための縮小文字サイズの補助印字とを上下方向に並べて印字してレシートとして発行する商品販売登録データ処理装置であって、
顧客に関する属性情報の入力を受け付ける顧客属性情報入力手段と、
この顧客属性情報入力手段によって入力された前記顧客に関する属性情報が所定の属性情報であるか否かを判断する属性情報判断手段と、
前記顧客属性情報入力手段によって入力された前記顧客に関する属性情報が前記属性情報判断手段によって所定の属性情報であると判断された場合に前記補助印字を前記主印字よりも目立つように印字する補助印字優先手段と、
を備える商品販売登録データ処理装置。
【請求項２】
前記補助印字優先手段は、前記主印字の印字色と前記補助印字の印字色とを違える請求項１記載の商品販売登録データ処理装置。
【請求項３】
前記補助印字優先手段は、前記主印字を前記縮小文字サイズで印字し、前記補助印字を前記通常文字サイズで印字する請求項１または２記載の商品販売登録データ処理装置。
【発明の詳細な説明】
【０００１】
【発明の属する技術分野】
本発明は、レシート発行機能を備えたＰＯＳ（Ｐｏｉｎｔ  ｏｆ  Ｓａｌｅｓ：販売時点管理）端末等の商品販売登録データ処理装置に関する。
【０００２】
【従来の技術】
一般に、スーパーマーケットやコンビニエンスストア等で使用されるＰＯＳ（Ｐｏｉｎｔ  ｏｆ  Ｓａｌｅｓ：販売時点管理）端末等の商品販売登録データ処理装置は、バーコードスキャナやキーボードの操作により売上商品に関する商品コードを入力すると、その商品コードにより商品マスタファイルを検索してその商品の名称、単価等の商品情報を読み出し、その販売個数とともに売上データとして記憶する。そして、これらの売上データは表示器に表示される一方、レシートプリンタによりレシート用紙に印字され、レシートとして顧客に発行される。
【０００３】
ところで、近年、このようにして発行されるレシートの印字については、読み易さを考慮して、漢字表記の主印字の上部にその読み仮名である補助印字（ルビ印字）を施したものがある。
【０００４】
【発明が解決しようとする課題】
しかしながら、通常、ルビ印字は縮小文字サイズによって印字されるため、特にルビ印字を必要とする子供等にとっては非常に見にくく、かつ、分かりにくいものになっている。
【０００５】
本発明の目的は、所定の顧客に対して見易く、かつ、分かり易いレシートの発行が可能な商品販売登録データ処理装置を提供することである。
【０００６】
【課題を解決するための手段】
請求項１記載の発明は、売上処理に基づく各種データを示す通常文字サイズの主印字とその主印字を補助するための縮小文字サイズの補助印字とを上下方向に並べて印字してレシートとして発行する商品販売登録データ処理装置であって、顧客に関する属性情報の入力を受け付ける顧客属性情報入力手段と、この顧客属性情報入力手段によって入力された前記顧客に関する属性情報が所定の属性情報であるか否かを判断する属性情報判断手段と、前記顧客属性情報入力手段によって入力された前記顧客に関する属性情報が前記属性情報判断手段によって所定の属性情報であると判断された場合に前記補助印字を前記主印字よりも目立つように印字する補助印字優先手段と、を備える。
【０００７】
したがって、顧客属性情報入力手段によって入力された顧客に関する属性情報が所定の属性情報である場合には、補助印字優先手段によって補助印字が主印字よりも目立つように印字されたレシートが発行される。これにより、例えば１０歳以下の子供の顧客を補助印字優先手段を実行するための条件である所定の属性情報に設定した場合、漢字表記の主印字に比べてその読み仮名である補助印字の方が目立つように印字された子供用のレシートが発行されるので、１０歳以下の子供にとって見やすく、かつ、分かり易いレシートが発行される。
【０００８】
請求項２記載の発明は、請求項１記載の商品販売登録データ処理装置において、前記補助印字優先手段は、前記主印字の印字色と前記補助印字の印字色とを違える。
【０００９】
したがって、主印字の印字色と補助印字の印字色とを違え、例えば漢字表記の主印字を薄い色（青色）としてその読み仮名である補助印字を濃い色（黒色）にすることで、漢字表記の主印字に比べてその読み仮名である補助印字の方が目立つように印字される。
【００１０】
請求項３記載の発明は、請求項１または２記載の商品販売登録データ処理装置において、前記補助印字優先手段は、前記主印字を前記縮小文字サイズで印字し、前記補助印字を前記通常文字サイズで印字する。
【００１１】
したがって、主印字を縮小文字サイズで印字し、補助印字を通常文字サイズで印字することにより、主印字と補助印字とにおける文字サイズの関係を逆転させ、漢字表記の主印字に比べてその読み仮名である補助印字の方が目立つように印字される。
【００１２】
【発明の実施の形態】
本発明の実施の一形態を図１ないし図９に基づいて説明する。本実施の形態は、商品販売登録データ処理装置としてＰＯＳ端末を適用した一例である。
【００１３】
図１は、ＰＯＳ端末１を示す外観斜視図である。ＰＯＳ端末１は、ドロワ２上に載置されており、このドロワ２の引出し３の開閉を制御する。このＰＯＳ端末１は、上面に操作者の操作を受け付ける領域を備え、その操作領域には各種のキーが集合するキーボード４、図示しない鍵によって切り換え操作されるコントロールキー５、後述するレシートを排出するレシート発行口６、及びジャーナル窓７が設けられている。操作者から見て、キーボード４及びコントロールキー５は右側の領域、レシート発行口６及びジャーナル窓７は左側の領域にそれぞれ配置されている。また、ＰＯＳ端末１の右側上方には、操作者側の表示部として機能するディスプレイ８が配置され、このディスプレイ８の近傍には客側の表示部として機能する客側表示ユニット９が立設されている。さらに、ＰＯＳ端末１には、商品コードを光学的に読み取るためのバーコードスキャナ１０が接続されている。加えて、このＰＯＳ端末１には、カードリーダライタ１１（図４参照）が内蔵されており、ＩＣチップを有するポイントカードＣの挿入を受け付けるカード挿入口１２が設けられている。
【００１４】
ポイントカードＣのＩＣチップには、各種の会員データが記録されている。次に、ポイントカードＣのＩＣチップに記録された会員データＤについて図２を参照して説明する。図２に示すように、会員データＤは、会員ナンバａと、氏名ｂと、顧客に関する属性情報である年齢データｃと、利用累計ポイントｄとで構成されている。なお、利用累計ポイントｄは、前回までの買上ポイントを累積加算したポイントである。
【００１５】
また、図３はキーボード４の各種キーの配列を示す平面図である。キーボード４は、商品コードや金額等を入力するための置数キー４ａ、売上処理において現金取引による締めを宣言するとともに顧客に関する属性情報である客層を登録するための複数の客層キー４ｂ、売上処理において現金取引による締めを宣言するための預／現計キー４ｃ等の各種のキーをブロック毎に配列した外観構造を有している。ここでは、客層キー４ｂは男女別・年代別に１０区分に分別されている。例えば、「客層１」は１０才以下の男の子、「客層５」は５０代以上の男性、「客層８」は２０代の女性というような区分である。また、４ａ〜４ｃ以外のキーについては、従来のＰＯＳ端末が備えるキーであって本実施の形態のＰＯＳ端末１に特有の機能とは無関係であるため、その説明は省略する。
【００１６】
次に、ＰＯＳ端末１に内蔵された各部の電気的接続を図４に基づいて説明する。図４に示すように、このＰＯＳ端末１は、マイクロコンピュータ（以下、マイコンという。）１３を内蔵し、このマイコン１３が各部を駆動制御する。マイコン１３は、各部を集中的に制御するＣＰＵ１４に、アドレスバス、データバス等のバスライン１５を介して、起動プログラム等の固定的データを予め格納するＲＯＭ１６と、売上データを一時格納する売上バッファ、印字データを一時格納する印字バッファ、この印字バッファに格納された印字データをドット展開する編集バッファ等の各種バッファを構成して各種データを書き換え自在に格納するワークエリアとして機能するＲＡＭ１７と、タイマＴと、が接続されて構成されている。なお、ＲＡＭ１７は、バッテリＢＴによってバックアップされている。ここで、図５は編集バッファに記憶される印字データのデータ構造を示す説明図である。ＲＡＭ１７の編集バッファに記憶される印字データは、図５に示すように、ドット展開された１行印字データ２９、この１行印字データ２９が印字データであることを特定する印字コマンド３０、印字データの色情報等を示す文字属性コード３１、印字データの終了を示す行終了コード３２によって構成されている。
【００１７】
また、ＣＰＵ１４に接続されたバスライン１５には記憶媒体であるＨＤＤ１８が接続されており、このＨＤＤ１８にはマイコン１３を動作させる制御プログラム、商品マスタファイル、売上登録に係る売上情報を記憶保持する売上ファイル等が格納されている。ここで、図６は商品マスタファイルＭＦのファイル構造を模式的に示す説明図である。商品マスタファイルＭＦは、各商品の商品コードに対応する商品名、単価等の商品マスタを記憶保持するデータファイルである。この商品マスタファイルＭＦには、商品コードが設定される商品コードエリアｅと、商品名が設定される商品名エリアｆと、販売価格情報である単価が設定される販売価格エリアｇと、部門コードが設定される部門コードエリアｈ等により構成されている。また、この商品マスタファイルＭＦには、商品名エリアｆに設定される商品名の読み方を補助するための補助（ルビ）印字データが設定される補助印字データエリアｉも確保されている。
【００１８】
さらに、ＣＰＵ１４に接続されたバスライン１５にはキャラクタジェネレータ１９が接続されている。このキャラクタジェネレータ１９はキャラクタデータをドットフォントのパターンデータで固定的に予め格納したもので、本実施の形態では、２４×２４ドット構成の通常文字サイズのキャラクタジェネレータ部１９ａと、１６×１６ドット構成の縮小文字サイズのキャラクタジェネレータ部１９ｂとを備えている。
【００１９】
ＨＤＤ１８には制御プログラムが格納されているので、ＰＯＳ端末１の起動時、ＨＤＤ１８に格納された制御プログラムが売上ファイル等とともにＲＡＭ１７に書き込まれ、これによってマイコン１３による各部の駆動制御が可能な状態となる。マイコン１３によって駆動制御される各部を図４を参照して次に説明する。
【００２０】
キーボード４は、キーボード入力回路２０を介してバスライン１５に接続され、キーボード入力回路２０の動作によって操作されたキーに応じた信号をマイコン１３に入力する。
【００２１】
コントロールキー５は、コントロールキー入力回路２１を介してバスライン１５に接続され、コントロールキー入力回路２１の動作によって切り換え位置に応じた信号をマイコン１３に入力する。マイコン１３は、コントロールキー５の出力信号に応じて、ＰＯＳ端末１の動作モードを登録モード、設定モード、精算モード、点検モード等の各業務モードに設定する。
【００２２】
ディスプレイ８は、表示制御回路２２を介してバスライン１５に接続され、マイコン１３からの表示データが表示制御回路２２に入力されると、表示制御回路２２に駆動されて所定事項を表示する。
【００２３】
客側表示ユニット９は、客側表示制御回路２３を介してバスライン１５に接続され、マイコン１３からの客側表示データが客側表示制御回路２３に入力されると、客側表示制御回路２３に駆動されて所定事項を表示する。
【００２４】
バーコードスキャナ１０は、スキャナ入力回路２４を介してバスライン１５に接続され、スキャナ入力回路２４の動作によって読み取った商品コードのデータをマイコン１３に送信する。
【００２５】
カードリーダライタ１１は、リーダライタ制御回路２８を介してバスライン１５に接続され、リーダライタ制御回路２８の動作によってポイントカードＣに記録される会員データＤに応じた信号をマイコン１３に対して入出力する。
【００２６】
また、ＰＯＳ端末１には、サーマルプリンタ２５が内蔵されており、マイコン１３によって駆動制御される。このサーマルプリンタ２５は、プリンタ制御回路２６を介してバスライン１５に接続され、マイコン１３からの印字データがプリンタ制御回路２６に入力されると、プリンタ制御回路２６に駆動されてレシート用紙やジャーナル用紙に所定事項を印字する。なお、本実施の形態のサーマルプリンタ２５は、薄い色である“青色”と濃い色である“黒色”の二色で印字が可能な二色発色感熱紙をレシート用紙及びジャーナル用紙に使用するものであって、印字データの文字属性コード３１が“青色”である場合には“黒色”に比べて低いエネルギーの印加により“青色”を発色させ、印字データの文字属性コード３１が“黒色”である場合には“青色”が発色する印字エネルギーより大きなエネルギーの印加により“青色”に重ねて“黒色”を発色させるものである。さらに、このサーマルプリンタ２５には、カッタ部（図示せず）が内蔵されている。このカッタ部は、マイコン１５によって駆動制御され、レシート用紙を所定の位置において切断する。これにより、サーマルプリンタ２５は、レシートの印字発行機能を発揮する。
【００２７】
ＰＯＳ端末１とは別体で設けられたドロワ２も、マイコン１３によって駆動制御される。このドロワ２は、ドロワ制御回路２７を介してバスライン１５に接続され、マイコン１３からの開放信号に応じてドロワ制御回路２７が駆動されてドロワ２の引出し３の開放を行なう。
【００２８】
次に、ＨＤＤ１８に格納された制御プログラムがマイコン１３に実行させる機能について説明する。起動後のＰＯＳ端末１では、コントロールキー５の切り換え位置に応じて動作モードが選択される。つまり、コントロールキー５の切り換え位置によって発生する出力信号に応じ、マイコン１３がＰＯＳ端末１の動作モードを登録モード、設定モード、精算モード、点検モード等に設定する。本実施の形態においては、各モードの処理について従来のＰＯＳ端末によって行なわれる処理と同様の処理についてはその説明を省略する。
【００２９】
次に、コントロールキー５の切り換え操作によって登録モードに設定されていることを条件として実行される売上処理について説明する。ここで、図７は売上処理の流れを概略的に示すフローチャートである。
【００３０】
売上処理では、最初に、カードリーダライタ１１でのポイントカードＣの読み取りによる会員データＤの入力（ステップＳ１）、または、売り上げ商品についてのバーコードスキャナ１０による商品コードの読み取りやキーボード４の置数キーによる商品コードの入力及びキーボード４の置数キーによる販売個数の入力等に待機する（ステップＳ３）。
【００３１】
カード挿入口１２からポイントカードＣが挿入されてカードリーダライタ１１において会員データＤが読み取られることにより会員データＤの入力があったと判断された場合（ステップＳ１のＹ）、会員データＤから顧客に関する属性情報である年齢データｃと前回までの買上ポイントである利用累計ポイントｄとを取得してＲＡＭ１７に一時的に記憶する（ステップＳ２）。ここに、顧客属性情報入力手段の機能が実行される。
【００３２】
また、会員データＤの入力があったと判断されない場合であっても（ステップＳ１のＮ）、バーコードスキャナ１０による商品コードの読み取りやキーボード４の置数キーによる商品コードの入力、及びキーボード４の置数キーによる販売個数の入力等があったと判断されると（ステップＳ３のＹ）、ステップＳ４において売上登録処理が実行される。この売上登録処理では、入力された商品コードに基づいて商品マスタファイルＭＦを検索することにより得られた商品名と単価と部門コードとによる売上データが売上バッファに記憶され、その単価等の取引情報がディスプレイ８や客側表示ユニット９に表示される。
【００３３】
続くステップＳ５においては、売上バッファに記憶された売上データと、その売上データに関連する補助（ルビ）印字データがある場合にはその補助（ルビ）印字データとが印字データとしてＲＡＭ１７の印字バッファに記憶される。
【００３４】
ステップＳ３〜Ｓ５の処理は、キーボード４の預／現計キー４ｃ、または客層キー４ｂのいずれか１つが操作されて締めが宣言されたと判断される迄（ステップＳ７のＹ）、繰り返される。
【００３５】
キーボード４の預／現計キー４ｃ、または客層キー４ｂのいずれか１つが操作されて締めが宣言されたと判断されると（ステップＳ６のＹ）、ステップＳ７において締め処理が実行される。なお、客層キー４ｂのいずれか１つが操作された場合には、顧客に関する属性情報であるその客層キー４ｂの客層区分がＲＡＭ１７に記憶される。ここに、顧客属性情報入力手段の機能が実行される。この締め処理では、売上バッファに記憶された売上データや、この売上データに基づく消費税額、売上合計金額等の締めデータが算出された後にＲＡＭ１７の売上データバッファに記憶されるとともに、売上データや締めデータがその売上データや締めデータに関連する補助（ルビ）印字データがある場合にはその補助（ルビ）印字データとともにＲＡＭ１７の印字バッファに記憶され、ドロワ２の引出３が解放される。加えて、この締め処理では、売上合計金額に基づく今回の買上ポイント（例えば、売上合計金額が１００円毎に１ポイント付与）が算出され、カードリーダライタ１１に挿入されているポイントカードＣのＩＣチップに加算させて書き込み記憶させる。
【００３６】
続くステップＳ８においては、印字バッファに記憶された取引内容（印字データ）をサーマルプリンタ２５によって印字してレシート発行口６からレシートとして発行するレシート発行処理が実行される。以下において、レシート発行処理について詳細に説明する。ここで、図８はレシート発行処理の流れを概略的に示すフローチャートである。レシート発行処理は、まず、所定の属性情報として顧客の年齢が１０歳以下であるか否かが判断される（ステップＳ１１）。ここに、属性情報判断手段の機能が実行される。顧客の年齢が１０歳以下であるか否かの判断は、前述したステップＳ２においてポイントカードＣから年齢データｃを取得した場合にはその年齢データｃに基づいて行われ、あるいは、ポイントカードＣから年齢データｃを取得していない場合には前述したステップＳ６において操作された客層キー４ｂの客層区分に基づいて行われる。
【００３７】
顧客の年齢が１０歳以下であると判断されなかった場合には（ステップＳ１１のＮ）、ステップＳ１２において、ＲＡＭ１７の印字バッファに記憶された印字データの内、補助（ルビ）印字データがキャラクタジェネレータ部１９ｂの１６×１６ドット構成の縮小文字サイズのパターンデータが展開された印字データ（１行印字データ２９）として編集バッファに格納され、補助（ルビ）印字データ以外の印字データはキャラクタジェネレータ部１９ａの２４×２４ドット構成の通常文字サイズのパターンデータが展開された印字データ（１行印字データ２９）として編集バッファに格納される。なお、この場合の色情報等を示す文字属性コード３１はいずれも“黒色”である。その後、ステップＳ１４に進む。
【００３８】
一方、顧客の年齢が１０歳以下であると判断された場合には（ステップＳ１１のＹ）、ステップＳ１３において、ＲＡＭ１７の印字バッファに記憶された印字データの内、補助（ルビ）印字データはキャラクタジェネレータ部１９ａの２４×２４ドット構成の通常文字サイズのパターンデータが展開された印字データ（１行印字データ２９）として編集バッファに格納される。なお、この場合の色情報等を示す文字属性コード３１は“黒色”である。また、補助（ルビ）印字データ以外の印字データはキャラクタジェネレータ部１９ｂの１６×１６ドット構成の縮小文字サイズのパターンデータが展開された印字データ（１行印字データ２９）として編集バッファに格納される。なお、この場合の色情報等を示す文字属性コード３１は“青色”である。その後、ステップＳ１４に進む。ここに、補助印字優先手段の機能が実行される。
【００３９】
続くステップＳ１４においては、編集バッファに格納された印字データに従ってレシート用紙及びジャーナル用紙に対する印字処理が実行される。そして、ステップＳ１５において、カッタ部によりレシート用紙を切断するカット処理を実行し、レシート発行口６よりレシートを発行してレシート発行処理が終了する。
【００４０】
ここで、図９は発行されたレシートの一例を示す平面図である。図９（ａ）に示すレシートＲ１は、顧客の年齢が１０歳以下でない場合に発行される通常のレシートの一例であって、漢字表記の主文字が黒色により通常文字サイズで印字されており、読み仮名であるルビ文字が黒色により縮小文字サイズで印字されている。一方、図９（ｂ）に示すレシートＲ２は、顧客の年齢が１０歳以下である場合に発行される子供用のレシートの一例であって、読み仮名であるルビ文字が黒色により通常文字サイズで印字されており、漢字表記の主文字が青色により縮小文字サイズで印字されている。
【００４１】
ここに、ポイントカードＣからの年齢データｃ、あるいは、客層キー４ｂの操作による客層区分である顧客に関する属性情報が所定の属性情報である場合には、補助印字が主印字よりも目立つように印字されたレシートＲ２が発行される。これにより、例えば１０歳以下の子供の顧客を補助印字優先手段を実行するための条件である所定の属性情報に設定した場合、漢字表記の主印字に比べてその読み仮名である補助印字の方が目立つように印字された子供用のレシートＲ２が発行されるので、１０歳以下の子供にとって見やすく、かつ、分かり易いレシートが発行される。
【００４２】
なお、本実施の形態においては、ポイントカードＣから年齢データｃを取得するようにしたが、例えば年齢データｃは“生年月日データ”であって、タイマＴから現在の年月日を取得することにより、年齢を算出することも可能である。
【００４３】
なお、本実施の形態においては、漢字表記の主印字を薄い色（青色）としてその読み仮名である補助印字を濃い色（黒色）にするとともに、主印字と補助印字とにおける文字サイズの関係を逆転させて主印字を縮小文字サイズで印字して補助印字を通常文字サイズで印字することにより、漢字表記の主印字に比べてその読み仮名である補助印字の方が目立つように印字されたレシートＲ２を発行するようにしたが、これに限るものではなく、漢字表記の主印字を薄い色（青色）としてその読み仮名である補助印字を濃い色（黒色）にするか、あるいは、主印字と補助印字とにおける文字サイズの関係を逆転させて主印字を縮小文字サイズで印字して補助印字を通常文字サイズで印字するかのいずれか一方のみによっても漢字表記の主印字に比べてその読み仮名である補助印字の方が目立つように印字されたレシートを発行することが可能である。
【００４４】
また、補助印字は読み仮名に限定するものではなく、例えば外国人の顧客を補助印字優先手段を実行するための条件である所定の属性情報に設定した場合には、漢字表記を主印字としてローマ字やアルファベット表記を補助印字とすることもできる。
【００４５】
なお、本実施の形態においては、制御プログラムを格納した記憶媒体としてＨＤＤ１８を適用したが、これに限るものではなく、磁気ディスク、フロッピーディスク、光ディスク（ＣＤ−ＲＯＭ，ＣＤ−Ｒ，ＤＶＤ等）、光磁気ディスク（ＭＯ等）、半導体メモリ等、プログラムを記憶でき、かつコンピュータが読み取り可能な記憶媒体であれば、その記憶形式は何れの形態であっても良い。
【００４６】
また、記憶媒体からコンピュータにインストールされたプログラムの指示に基づきコンピュータ上で稼動しているＯＳ（オペレーティングシステム）や、データベース管理ソフト、ネットワークソフト等のＭＷ（ミドルウェア）等が本実施形態を実現するための各処理の一部を実行しても良い。
【００４７】
さらに、記憶媒体は１つに限らず、複数の媒体から本実施の形態における処理が実行される場合も本発明における記憶媒体に含まれ、媒体構成は何れの構成であっても良い。
【００４８】
さらにまた、本実施の形態においては、商品販売登録データ処理装置としてＰＯＳ端末を適用したが、これに限るものではなく、ＥＣＲやパーソナルコンピュータ、パーソナルコンピュータを中心に構成された情報処理システム等であっても良い。
【００４９】
【発明の効果】
請求項１記載の発明によれば、売上処理に基づく各種データを示す通常文字サイズの主印字とその主印字を補助するための縮小文字サイズの補助印字とを上下方向に並べて印字してレシートとして発行する商品販売登録データ処理装置であって、顧客に関する属性情報の入力を受け付ける顧客属性情報入力手段と、この顧客属性情報入力手段によって入力された前記顧客に関する属性情報が所定の属性情報であるか否かを判断する属性情報判断手段と、前記顧客属性情報入力手段によって入力された前記顧客に関する属性情報が前記属性情報判断手段によって所定の属性情報であると判断された場合に前記補助印字を前記主印字よりも目立つように印字する補助印字優先手段と、を備え、顧客属性情報入力手段によって入力された顧客に関する属性情報が所定の属性情報である場合には、補助印字優先手段によって補助印字を主印字よりも目立つように印字したレシートを発行することにより、例えば１０歳以下の子供の顧客を補助印字優先手段を実行するための条件である所定の属性情報に設定した場合、漢字表記の主印字に比べてその読み仮名である補助印字の方を目立たせるように印字した子供用のレシートを発行することができるので、１０歳以下の子供にとって見やすく、かつ、分かり易いレシートを発行することができる。
【００５０】
請求項２記載の発明によれば、請求項１記載の商品販売登録データ処理装置において、前記補助印字優先手段は、前記主印字の印字色と前記補助印字の印字色とを違えることにより、例えば漢字表記の主印字を薄い色（青色）としてその読み仮名である補助印字を濃い色（黒色）にすることで、漢字表記の主印字に比べてその読み仮名である補助印字の方を目立たせるように印字することができる。
【００５１】
請求項３記載の発明によれば、請求項１または２記載の商品販売登録データ処理装置において、前記補助印字優先手段は、前記主印字を前記縮小文字サイズで印字し、前記補助印字を前記通常文字サイズで印字することにより、主印字と補助印字とにおける文字サイズの関係を逆転させることができ、漢字表記の主印字に比べてその読み仮名である補助印字の方を目立たせるように印字することができる。
【図面の簡単な説明】
【図１】本発明の実施の一形態のＰＯＳ端末を示す外観斜視図である。
【図２】会員データのデータ構造を模式的に示す説明図である。
【図３】キーボードの各種キーの配列を示す平面図である。
【図４】ＰＯＳ端末に内蔵された各部の電気的接続を示すブロック図である。
【図５】印字データのデータ構造を示す説明図である。
【図６】商品マスタファイルのファイル構造を模式的に示す説明図である。
【図７】売上処理の流れを概略的に示すフローチャートである。
【図８】レシート発行処理の流れを概略的に示すフローチャートである。
【図９】発行されたレシートの一例を示す平面図である。
【符号の説明】
Ｒ１，Ｒ２      レシート
【図１】
0003573409.tif 000002
【図２】
0003573409.tif 000003
【図３】
0003573409.tif 000004
【図４】
0003573409.tif 000005
【図５】
0003573409.tif 000006
【図６】
0003573409.tif 000007
【図７】
0003573409.tif 000008
【図８】
0003573409.tif 000009
【図９】
0003573409.tif 000010